【手続補正書】
【提出日】平成26年8月11日(2014.8.11)
【手続補正１】
【補正対象書類名】明細書
【補正対象項目名】発明の名称
【補正方法】変更
【補正の内容】
【発明の名称】画像をマーキングする方法および中間画像転写マーキング装置
【手続補正２】
【補正対象書類名】特許請求の範囲
【補正対象項目名】全文
【補正方法】変更
【補正の内容】
【特許請求の範囲】
【請求項１】
中間画像転写印刷装置を用いて媒体基材上へ画像をマーキングする方法であって、前記中間画像転写印刷装置は、感光体表面と、前記感光体表面と機能的に関連づけられる露光システムと、前記感光体表面と機能的に関連づけられる現像剤システムと、前記感光体表面と機能的に関連づけられる中間画像転写表面と、前記中間画像転写表面と機能的に関連づけられる画像転写ニップとを含み、前記画像転写ニップは媒体シートに係合するためのバックアップロール及び用紙案内装置を含み、かつ前記バックアップロール、前記用紙案内装置及び前記中間画像転写表面のうちの１つまたはそれ以上は誘電材料を含み、前記方法は、
ａ）前記露光システムを用いて、媒体基材上へマーキングされるべき画像を表す静電画像を前記感光体表面に形成することと、
ｂ）前記現像剤システムを用いて、前記感光体表面にトナー材料で前記静電画像を現像し、現像画像を生成することと、
ｃ）前記現像画像を前記感光体表面から前記中間画像転写表面へ転写することと、
ｄ）前記中間画像転写表面上の前記現像画像を前記画像転写ニップへ前進させることと、
ｅ）前記バックアップロール及び前記用紙案内装置へ機能的に接続される定電流源を利用して前記画像転写ニップに渡って電界を発生することを含み、
発生させられた前記電界は、前記現像画像を前記中間画像転写表面から媒体シートへ転写し、前記用紙案内装置は接地へ機能的に接続される導電材料を含み、前記用紙案内装置は前記誘電材料を含み、かつ前記用紙案内装置へは電荷中和システムが機能的に関連づけられ、ステップｅ）は、
ｅ１）前記バックアップロール及び前記用紙案内装置へ機能的に接続される定電流源を利用して前記ニップに渡って電界を発生させ、
これにより、発生させられた前記電界は前記現像画像を前記中間画像転写表面から媒体シートへ転写することと、
ｅ２）前記電荷中和システムを用いて前記誘電材料を中和することを含む、方法。
【請求項２】
前記感光体表面は感光体ドラムであり、前記中間画像転写表面はベルトである、請求項１に記載の媒体基材上へ画像をマーキングする方法。
【請求項３】
前記ベルトは前記誘電材料を含む、請求項２に記載の媒体基材上へ画像をマーキングする方法。
【請求項４】
前記用紙案内装置は画像転写ロール及び画像転写ベルトのうちの１つまたはそれ以上である、請求項１に記載の媒体基材上へ画像をマーキングする方法。
【請求項５】
中間画像転写印刷装置を用いて媒体基材上へ画像をマーキングする方法であって、前記中間画像転写印刷装置は、感光体表面と、前記感光体表面と機能的に関連づけられる露光システムと、前記感光体表面と機能的に関連づけられる現像剤システムと、前記感光体表面と機能的に関連づけられる中間画像転写表面と、前記中間画像転写表面と機能的に関連づけられる画像転写ニップとを含み、前記画像転写ニップは媒体シートに係合するためのバックアップロール及び用紙案内装置を含み、かつ前記バックアップロール、前記用紙案内装置及び前記中間画像転写表面のうちの１つまたはそれ以上は誘電材料を含み、前記方法は、
ａ）前記露光システムを用いて、媒体基材上へマーキングされるべき画像を表す静電画像を前記感光体表面に形成することと、
ｂ）前記現像剤システムを用いて、前記感光体表面にトナー材料で前記静電画像を現像し、現像画像を生成することと、
ｃ）前記現像画像を前記感光体表面から前記中間画像転写表面へ転写することと、
ｄ）前記中間画像転写表面上の前記現像画像を前記画像転写ニップへ前進させることと、
ｅ）前記バックアップロール及び前記用紙案内装置へ機能的に接続される定電流源を利用して前記画像転写ニップに渡って電界を発生することを含み、
発生させられた前記電界は、前記現像画像を前記中間画像転写表面から媒体シートへ転写し、前記バックアップロールは接地へ機能的に接続される導電材料を含み、前記バックアップロールは前記誘電材料を含み、かつ前記バックアップロールへは電荷中和システムが機能的に関連づけられ、ステップｅ）は、
ｅ１）前記バックアップロール及び前記用紙案内装置へ機能的に接続される定電流源を利用して前記ニップに渡って電界を発生させ、
これにより、発生させられた前記電界は前記現像画像を前記中間画像転写表面から媒体シートへ転写することと、
ｅ２）前記電荷中和システムを用いて前記誘電材料を中和することを含む、方法。
【請求項６】
中間画像転写マーキング装置であって、
感光体表面と、
前記感光体表面と機能的に関連づけられる露光システムと、
前記感光体表面と機能的に関連づけられる現像剤システムと、
前記感光体表面と機能的に関連づけられる中間画像転写表面と、
前記中間画像転写表面と機能的に関連づけられる画像転写ニップであって、前記画像転写ニップは媒体シートに係合するように構成されるバックアップロール及び用紙案内装置を含み、かつ前記バックアップロール、前記用紙案内装置及び前記中間画像転写表面のうちの１つまたはそれ以上は誘電材料を含む画像転写ニップと、
前記感光体表面、前記露光システム、前記現像剤システム、前記中間画像転写表面及び前記画像転写ニップと機能的に関連づけられるコントローラであって、前記中間画像転写マーキング装置を用いて媒体基材上へ画像をマーキングするプロセスを実行するように構成されるコントローラとを備え、前記プロセスは、
ａ）前記露光システムを用いて、媒体基材上へマーキングされるべき画像を表す静電画像を前記感光体表面に形成することと、
ｂ）前記現像剤システムを用いて、前記感光体表面にトナー材料で前記静電画像を現像し、現像画像を生成することと、
ｃ）前記現像画像を前記感光体表面から前記中間画像転写表面へ転写することと、
ｄ）前記中間画像転写表面上の前記現像画像を前記画像転写ニップへ前進させることと、
ｅ）前記バックアップロール及び前記用紙案内装置へ機能的に接続される定電流源を利用して前記画像転写ニップに渡って電界を発生することを含む中間画像転写マーキング装置であって、前記用紙案内装置は接地へ機能的に接続される導電材料を含み、前記用紙案内装置は前記誘電材料を含み、かつ前記用紙案内装置へは電荷中和システムが機能的に関連づけられ、ステップｅ）は、
ｅ１）前記バックアップロール及び前記用紙案内装置へ機能的に接続される定電流源を利用して前記ニップに渡って電界を発生させ、
これにより、発生させられた前記電界は前記現像画像を前記中間画像転写表面から媒体シートへ転写することと、
ｅ２）前記電荷中和システムを用いて前記誘電材料を中和することを含む、中間画像転写マーキング装置。
【請求項７】
前記電荷中和システムは、光放電灯、ＡＣコロトロン、ＡＣスコロトロン及びＡＣ  ＢＣＲ電荷中和部材のうちの１つを含む、請求項６に記載の中間画像転写マーキング装置。
【請求項８】
中間画像転写マーキング装置であって、
感光体表面と、
前記感光体表面と機能的に関連づけられる露光システムと、
前記感光体表面と機能的に関連づけられる現像剤システムと、
前記感光体表面と機能的に関連づけられる中間画像転写表面と、
前記中間画像転写表面と機能的に関連づけられる画像転写ニップであって、前記画像転写ニップは媒体シートに係合するように構成されるバックアップロール及び用紙案内装置を含み、かつ前記バックアップロール、前記用紙案内装置及び前記中間画像転写表面のうちの１つまたはそれ以上は誘電材料を含む画像転写ニップと、
前記感光体表面、前記露光システム、前記現像剤システム、前記中間画像転写表面及び前記画像転写ニップと機能的に関連づけられるコントローラであって、前記中間画像転写マーキング装置を用いて媒体基材上へ画像をマーキングするプロセスを実行するように構成されるコントローラとを備え、前記プロセスは、
ａ）前記露光システムを用いて、媒体基材上へマーキングされるべき画像を表す静電画像を前記感光体表面に形成することと、
ｂ）前記現像剤システムを用いて、前記感光体表面にトナー材料で前記静電画像を現像し、現像画像を生成することと、
ｃ）前記現像画像を前記感光体表面から前記中間画像転写表面へ転写することと、
ｄ）前記中間画像転写表面上の前記現像画像を前記画像転写ニップへ前進させることと、
ｅ）前記バックアップロール及び前記用紙案内装置へ機能的に接続される定電流源を利用して前記画像転写ニップに渡って電界を発生することを含む中間画像転写マーキング装置であって、前記バックアップロールは接地へ機能的に接続される導電材料を含み、前記バックアップロールは前記誘電材料を含み、かつ前記バックアップロールへは電荷中和システムが機能的に関連づけられ、ステップｅ）は、
ｅ１）前記バックアップロール及び前記用紙案内装置へ機能的に接続される定電流源を利用して前記ニップに渡って電界を発生させ、
これにより、発生させられた前記電界は前記現像画像を前記中間画像転写表面から媒体シートへ転写することと、
ｅ２）前記電荷中和システムを用いて前記誘電材料を中和することを含む、中間画像転写マーキング装置。
【請求項９】
中間画像転写マーキング装置であって、
感光体ドラムと、
前記感光体ドラムと機能的に関連づけられる露光システムと、
前記感光体ドラムと機能的に関連づけられる現像剤システムと、
前記感光体ドラムと機能的に関連づけられる中間画像転写表面と、
前記中間画像転写表面と機能的に関連づけられる画像転写ニップであって、前記画像転写ニップは媒体シートに係合するように構成されるバックアップロール及び用紙案内装置を含み、かつ前記バックアップロール、前記用紙案内装置及び前記中間画像転写表面のうちの１つまたはそれ以上は誘電材料を含む画像転写ニップと、
定着器と、
前記感光体ドラム、前記現像剤システム、前記中間画像転写表面及び前記画像転写ニップと機能的に関連づけられるコントローラであって、前記中間画像転写マーキング装置を用いて媒体基材上へ画像をマーキングするプロセスを実行するように構成されるコントローラとを備え、前記プロセスは、
ａ）前記露光システムを用いて、媒体基材上へマーキングされるべき画像を表す静電画像を前記感光体ドラム上に形成することと、
ｂ）前記現像剤システムを用いて前記感光体ドラム上に前記静電画像を現像し、現像画像を生成することと、
ｃ）前記現像画像を前記感光体ドラムから前記中間画像転写表面へ転写することと、
ｄ）前記中間画像転写表面上の前記現像画像を前記画像転写ニップへ前進させることと、
ｅ）前記バックアップロール、前記用紙案内装置、及び前記誘電材料へ機能的に接続される定電流源を利用して前記画像転写ニップに渡って電界を発生させ、これにより、発生させられた前記電界が前記現像画像を前記中間画像転写表面から媒体シートへ転写することと、
ｆ）前記定着器を用いて、転写された前記画像を媒体シートへ定着させることを含む中間画像転写マーキング装置であって、前記用紙案内装置は接地へ機能的に接続される導電材料を含み、前記用紙案内装置は前記誘電材料を含み、かつ前記用紙案内装置へは電荷中和システムが機能的に関連づけられ、ステップｅ）は、
ｅ１）前記バックアップロール及び前記用紙案内装置へ機能的に接続される定電流源を利用して前記ニップに渡って電界を発生させ、
これにより、発生させられた前記電界は前記現像画像を前記中間画像転写表面から媒体シートへ転写することと、
ｅ２）前記電荷中和システムを用いて前記誘電材料を中和することを含む、中間画像転写マーキング装置。
【請求項１０】
中間画像転写マーキング装置であって、
感光体ドラムと、
前記感光体ドラムと機能的に関連づけられる露光システムと、
前記感光体ドラムと機能的に関連づけられる現像剤システムと、
前記感光体ドラムと機能的に関連づけられる中間画像転写表面と、
前記中間画像転写表面と機能的に関連づけられる画像転写ニップであって、前記画像転写ニップは媒体シートに係合するように構成されるバックアップロール及び用紙案内装置を含み、かつ前記バックアップロール、前記用紙案内装置及び前記中間画像転写表面のうちの１つまたはそれ以上は誘電材料を含む画像転写ニップと、
定着器と、
前記感光体ドラム、前記現像剤システム、前記中間画像転写表面及び前記画像転写ニップと機能的に関連づけられるコントローラであって、前記中間画像転写マーキング装置を用いて媒体基材上へ画像をマーキングするプロセスを実行するように構成されるコントローラとを備え、前記プロセスは、
ａ）前記露光システムを用いて、媒体基材上へマーキングされるべき画像を表す静電画像を前記感光体ドラム上に形成することと、
ｂ）前記現像剤システムを用いて前記感光体ドラム上に前記静電画像を現像し、現像画像を生成することと、
ｃ）前記現像画像を前記感光体ドラムから前記中間画像転写表面へ転写することと、
ｄ）前記中間画像転写表面上の前記現像画像を前記画像転写ニップへ前進させることと、
ｅ）前記バックアップロール、前記用紙案内装置、及び前記誘電材料へ機能的に接続される定電流源を利用して前記画像転写ニップに渡って電界を発生させ、これにより、発生させられた前記電界が前記現像画像を前記中間画像転写表面から媒体シートへ転写することと、
ｆ）前記定着器を用いて、転写された前記画像を媒体シートへ定着させることを含む中間画像転写マーキング装置であって、前記バックアップロールは接地へ機能的に接続される導電材料を含み、前記バックアップロールは前記誘電材料を含み、かつ前記バックアップロールへは電荷中和システムが機能的に関連づけられ、ステップｅ）は、
ｅ１）前記バックアップロール及び前記用紙案内装置へ機能的に接続される定電流源を利用して前記ニップに渡って電界を発生させ、
これにより、発生させられた前記電界は前記現像画像を前記中間画像転写表面から媒体シートへ転写することと、
ｅ２）前記電荷中和システムを用いて前記誘電材料を中和することを含む、中間画像転写マーキング装置。